(57)【要約】本発明は、コンピュータ用のスタイラスとかかるスタイラスで使用するためのコンピュータに関するものである。コンピュータは、スクリーンと、少なくとも一つの方向にスクリーン上で可動体を移動させるために使用者によって操作されるのに適した制御手段（６）を備えるケース（３）を含み、前記制御手段は、ケース（３）と一体で相互に協働する少なくとも一つの固定部分（１０）と可動部分（７）とを含み、前記固定部分はケースに電気的に接続され、また、前記可動部分が可動部分の移動の影響で、前記可動体の移動に関する情報を電気信号の形で固定部分に伝達する移動変換器手段（９ａ−９ｄ）を備えている。スタイラスの一端は、前記可動部分と一体の相補的固定手段（１３）と協働するのに適した固定手段を備え、それによりスタイラスは、使用者によって操作されるのに適したハンドルを形成するように、前記移動制御手段と一体にされる。
2005509956.tif 000002
【特許請求の範囲】
【請求項１】
コンピュータ（２）用のスタイラス（１；１’；１”）であり、前記コンピュータは、スクリーン（４）と、スクリーンにおいて少なくとも一つの方向へ可動体の移動を発生させるために、使用者によって操作されるのに適した制御手段（６；６’）を備えたケース（３）を含み、前記制御手段は、ケースと一体で相互に協働する少なくとも一つの固定部分（１０；１０’）と可動部分（７；７’）とを含み、前記固定部分はケースに電気的に接続され、前記可動部分は、可動部分の移動の影響で、前記可動体の移動に関する情報を電気信号の形で固定部分に伝達するための移動変換器手段（９ａ、９ｂ、９ｃ、９ｄ；９’ａ、９’ｂ、９’ｃ、９’ｄ）を備え、
前記可動部分と一体の相補的固定手段（１３；１３’；１３1；１３’1；１７、１８、１９；１７’、１８’、１９’）と協働するのに適した固定手段（１ｂ、１’ｂ、１”ｂ）を備える先端（１ａ；１’ａ；１”ａ）を含む、使用者によって操作されるのに適したハンドルを形成するように前記移動制御手段とこのように一体となることを特徴とするスタイラス。
【請求項２】
固定手段が装置の先端と一体の爪（１ｂ；１’ｂ）であることを特徴とする、請求項１に記載のスタイラス。
【請求項３】
前記爪が固定されていることを特徴とする、請求項２に記載のスタイラス。
【請求項４】
前記爪が収縮自在であることを特徴とする、請求項２に記載のスタイラス。
【請求項５】
前記固定手段が前記装置の先端に形成した欠刻（１”ｂ）であることを特徴とする、請求項１に記載のスタイラス。
【請求項６】
スクリーン（４）と、スクリーンにおいて少なくとも一つの方向へ可動体を移動させるために、使用者によって操作されるのに適した制御手段（６；６’）を備えたケース（３）を含んだコンピュータであり、前記制御手段は、ケースと一体で相互に協働する少なくとも一つの固定部分（１０；１０’）と可動部分（７；７’）とを含み、前記固定部分はケースに電気的に接続され、前記可動部分は可動部分の移動の影響で、前記可動体の移動に関する情報を電気信号の形で固定部分に伝達するための移動変換器手段（９ａ、９ｂ、９ｃ、９ｄ；９’ａ、９’ｂ、９’ｃ、９’ｄ）を備え、
前記可動部分（７；７'）は、スクリーン（４）上を移動するのに適したスタイラス（１；１'；１"）の先端（１ａ；１'ａ；１"ａ）に配置された固定手段（１ｂ、１'ｂ、１"ｂ）と相補的な固定手段を備え、これによりスタイラスが使用者によって操作されるのに適したハンドルを形成するように前記移動制御手段と一体となることを特徴とする、コンピュータ。
【請求項７】
相補的固定手段が欠刻（１３；１３'；１３1；１３'1）であり、該欠刻は、可動部分（７；７'）に設けられた窪み（１２；１２'）を開通し、スタイラス（１；１'）の先端（１ａ；１'ａ）を受け入れるものであることを特徴とする、請求項６に記載のコンピュータ。
【請求項８】
相補的固定手段は、可動部分（７；７'）に設けられ、そしてスタイラス（１；１"）の先端（１ａ；１"ａ）を受納する窪み（１２；１２'）における、スタイラス（１"）の係止／解除する機構（１９；１９'）であり、
前記機構が、一方では前記窪み（１２；１２'）を開通するように可動部分（７；７'）に設けられた開口部（１７；１７'）により、また、他方ではケース（３）に設けられた窪み（１８；１８'）によって画定された受納部に配置され、
前記窪み（１８；１８'）が、開口部（１７；１７'）を開通する第一の部分（１８ａ；１８'ａ）と、ケース（３）の外部を開通する第二の部分（１８ｂ；１８'ｂ）とを有することを特徴とする、請求項６に記載のコンピュータ。
【請求項９】
制御手段が多方向十字架（６）であることを特徴とする、請求項６から請求項８のいずれかひとつに記載のコンピュータ。
【請求項１０】
制御手段が固定要素（６'）であることを特徴とする、請求項６から請求項８のいずれか一つに記載のコンピュータ。
【発明の詳細な説明】
【技術分野】
【０００１】
本発明はコンピュータ用のスタイラスに関するものである。
【０００２】
より詳細には、本発明はコンピュータ用のスタライスに関するものであり、前記コンピュータは、スクリーンにおいて少なくとも一つの方向へ可動体を移動させるために、使用者によって操作されるのに適した少なくとも一つの制御手段を備えたケースを含み、前記制御手段は、ケースと一体で相互に協働する少なくとも一つの固定部分と可動部分とを含み、前記固定部分はケースに電気的に接続され、前記可動部分は、可動部分の移動の影響で、前記可動体の移動に関する情報を電気信号の形で固定部分に伝達するための移動変換器手段を備えている。
【背景技術】
【０００３】
問題のタイプのスタイラスは、例えば、ＰＤＡ（“Ｐｅｒｓｏｎａｌ  Ｄiｇｉｔａｌ  Ａｓｓｉｓｔａｎｔ"）などのポケットコンピュータでの使用にとくに向けられたものである。かかるスタイラスは、スクリーンにテキストの入力を実行、あるいはさらにスクリーンに表示されたメニューにおいて、対話によってナビゲートすることを一般的に目的として、ＰＤＡのタッチスクリーン上を移動するのに適した先端を有する。
【０００４】
ポケットコンピュータはたいていの場合少なくとも四方向（左右、上下）に、スクリーン上の（人物、動物、などの）可動体の移動制御手段を有することが可能であり、前記制御手段は、一般的に四つの枝に分岐した、十字架の形状を呈する。かかる制御手段は、ポケットコンピュータが情報ゲームソフトを備えているときにとくに使用される。それぞれの方向への可動体の移動は、人差し指または他の指で十字架の枝の一つを押すことによって得られる。押すことにより、バネに取り付けられた枝が押し込まれ、接点が閉じ、それにより可動体のスクリーン上における所望の方向への移動が引き起こされる。
【０００５】
あるタイプのポケットコンピュータにおいては、スクリーン上の可動体の移動を制御するための様々な方向にスクリーン上で使用者が滑らせるスタイラス自体が、上述の制御手段となりうる。
【発明の開示】
【発明が解決しようとする課題】
【０００６】
このようなスタイラスの使用は、しかしながら、使用者がスクリーン上の可動体に所望の方向を命ずると同時にスタイラスをスクリーンと接触させて維持しなければならないという意味で、人間工学的に好ましくないことが知られている。ポケットコンピュータの寸法の小ささを考慮に入れると、これらのポケットコンピュータは、スタイラスを保持する手にほとんど支えを提供しないため、（例えば、移動中の車内で自分のポケットコンピュータを使用しているなど）とくに使用者が動いているとき、ポケットコンピュータに対する手の位置がとりわけ不安定なものになる。
【課題を解決するための手段】
【０００７】
本発明は、前記可動部分と一体の相補的固定手段と協働するのに適した固定手段を備えた先端を含み、それによって使用者によって操作されるのに適したハンドルを形成するように、前記移動制御手段と一体とされるスタイラスを提案することによって上述の問題を解決することをとくに目的とする。
【発明の効果】
【０００８】
このような配置は、使用者がスクリーンと接触してスタイラスを維持するための力を提供する必要がないため、このように恒常的な対話性を保証することを可能にする。他方、コンピュータのケースに対する使用者の手の位置は、もっと安定したものとなる。
【発明を実施するための最良の形態】
【０００９】
本発明によるスタイラスの推奨実施態様において、下記の配置の一方および／または他方を利用する：
・固定手段は、スタイラスの先端と一体の爪である。
・固定手段は、前記先端に形成された欠刻である。
【００１０】
本発明は上述のタイプのスタイラスとともに使用されるコンピュータにも関するものである。
【００１１】
本発明によるコンピュータの推奨実施態様において、下記の配置の一方および／または他方を利用する：
・相補的固定手段は、可動部分に設けられた窪みを開通し、スタイラスの先端を受け入れるための欠刻である；
・相補的固定手段は、可動部分に設けられ、そしてスタイラスの先端を受納する窪みにおけるスタイラスを係止／解除する機構であり、前記機構が、一方では前記窪みを開通するように可動部分に設けられた開口部により、また他方ではケースに設けられた窪みによって画定された受納部に配置され、前記窪みが開口部を開通する第一の部分とケースの外部に開通する第二の部分を有する；
・制御手段は、多方向十字架である；
・制御手段は、固定要素である。
【００１２】
本発明のその他の特徴と利点は、付属の図面を参照に下記の説明を読むことによって明らかになるだろう：
・図１Ａは第一の実施態様によるスタイラスの正面図であり、スタイラスの先端はＩＡ−ＩＡ線にそった拡大断面図で示されている、
・図１Ｂは図１Ａのスタイラスと協働するための図４の制御手段の断面図であり、前記断面は図４ＡのＩＶ−ＩＶ線にそって取られている、
・図１Ｃは図１Ｂの制御手段の平面図である、
・図１Ｄは図４ＢのＩＶ’−ＩＶ’線にそって取った、第一の実施態様による制御手段の変型例の断面図である、
・図１Ｅは図１Ｄの制御手段の変型例の平面図である、
・図２Ａは第二の実施態様によるスタイラスの正面図であり、スタイラスの先端はＩＩＡ−ＩＩＡ線にそった拡大断面図で示されている、
・図２Ｂは図２Ａのスタイラスと協働するための図４の制御手段の断面図であり、前記断面は図４ＡのＩＶ−ＩＶ線にそって取られている、
・図２Ｃは図２Ｂの制御手段の平面図である、
・図２Ｄは図４ＢのＩＶ’−ＩＶ’線にそって取った、第二の実施態様による制御手段の変型例の断面図である、
・図２Ｅは図２Ｄの制御手段の変型例の平面図である、
・図３Ａは第三の実施態様によるスタイラスの正面図であり、スタイラスの先端はＩＩＩＡ−ＩＩＩＡ線にそった拡大断面図で示されている、
・図３Ｂは図３Ａのスタイラスと協働するための図４の制御手段の断面図であり、前記断面は図４ＡのＩＶ−ＩＶ線にそって取られている、
・図３Ｃは図３Ｂの制御手段の平面図である、
・図３Ｄは図４ＢのＩＶ’−ＩＶ’線にそって取った、第三の実施態様による制御手段の変型例の断面図である、
・図３Ｅは図３Ｄの制御手段の変型例の平面図である、
・図４Ａは図１Ａ、２Ａと３Ａに示したようなスタイラスをその上で移動するためのスクリーンを備えたコンピュータの正面図である、
・図４Ｂは図４Ａに示したコンピュータの変型例である。
【実施例１】
【００１３】
つぎに、図１Ａ、１Ｂ、１Ｃと４Ａを参照して、本発明によるスタライスの第一の実施態様と、組み合わされた移動制御手段を説明する。
【００１４】
図１Ａに見られるように、参照番号１で示したスタイラスは、先端１ａの拡大断面図を備えており、該断面図は図１Ａで円で囲まれている。先端１ａは、それ自体周知の仕方で、スクリーンへのテキストの入力を、できる限り正確に実行できるように、あるいはさらにスクリーンに表示されたメニューを対話によってナビゲートすることができるように尖らせてある。図示した例において、先端１ａは中実である。さらに先端１ａと同じ材料でできている爪１ｂを有している。図示した例において、爪１ｂはほぼ長方形の形を呈する。
【００１５】
つぎに、図４Ａを参照して、コンピュータ２について説明するが、該コンピュータは、スタイラス１の先端１ａが移動するためのスクリーン４を備えるケース３を含んでいる。
【００１６】
図示した例において、コンピュータ２は触知型のスクリーン４を備えたＰＤＡである。
【００１７】
可能な代替案として、コンピュータ２は、とくにポータブルコンピュータ、ビデオゲーム機などのような、非触知型スクリーンを備えることができる。
【００１８】
ケース３はさらに、例えば、三つのキー５ａ、５ｂ、５ｃのような標準機能のキーを備える。キー５ａは例えば、オン／オフキー、キー５ｂは「アドレス」キー、そしてキー５ｃは「メモ帳」キーである。
【００１９】
ケース３は四つの枝６ａ、６ｂ、６ｃ、６ｄに分岐した十字架６も備え、前記十字架は、それ自体周知の仕方で、スクリーン４上で（図示されていない）可動体の少なくとも四つの方向（上下、左右）への移動を制御することを可能にする。
【００２０】
より正確には、図１Ｂと１Ｃを参照すると、十字架６は使用者によって押されることができるように、十字架６の前記枝６ａから６ｄがケース３を超えるようにケース３の窪み８の内部にわずかな遊びで受納された可動部分７を備えている。前記可動部分７は、いったんケース３に取り付けられると、垂直軸Ｚに対して回転対称になるように構成されている。前記可動部分７はさらに、変換器９ｃと９ｄだけが図１Ｂにおいて見て取れる、例えば四つの変換器９ａ、９ｂ、９ｃ、９ｄのような、複数の移動変換器がその下に固定された基部７ａを備えている。
【００２１】
図１Ｂに見られるように、十字架６は、十字架６の可動部分７の基部７ａのすぐ下のケース３の窪み８に受納されている固定部分１０を備えている。前記固定部分は、移動変換器９ａから９ｄの方向に向けられたその面に、電子回路１１を備えている。したがって、それ自体周知の仕方で、使用者が十字架６の枝６ａから６ｄのいずれか一つ、例えば、枝６ｃを押すと、可動部分７は反時計回りに下向きに傾けられ、このとき変換器９ｃがこの移動を電気信号の形に変換し、すぐに電子回路１１に伝達する。
【００２２】
図１Ｂと１Ｃを参照すると、十字架６の可動部分７は、その中心部分に、スタイラス１の先端１ａを受納するための窪み１２を有している。図示した例において、窪み１２は軸Ｚの周囲で回転する円筒の形状を呈し、ほぼ円形の底部１２ａを備えている。
【００２３】
スタイラス１の先端１ａの爪１ｂを受納するための欠刻１３は、窪み１２の下部を開通するように、十字架６の可動部分７に設けられている。図１Ｃに見られるように、前記欠刻は、面Ｐに含まれる水平軸Ｘと面Ｐに含まれる水平軸Ｙの間にあり、水平軸Ｙに垂直な軸Ｚに垂直な面Ｐにおいて、およそ４５度の角度で角度方向に延長している。
【００２４】
十字架６に対するスタイラス１の固定は、スタイラス１の先端１ａを、スタイラス１の先端１ａが窪み１２の底部１２ａに当接するまで窪み１２に押し込むことにより実行される。押し込みの際、欠刻の第一の端１３ａに爪が欠刻１３に受納されるように、先端１ａが窪み１２に向けられるように構成されている。
【００２５】
このときスタイラス１は、欠刻の第二の端１３ｂに当接するまで、爪１ｂが角度方向に欠刻１３の中に移動するよう時計回りにＺ軸に対して回転駆動される。このようにしてスタイラス１は、十字架６の可動部分７に対して係止されている。結果として、それはジョイスティックのように操作されることができる。このため、外部に向けて開通する窪み１２の先端は、スタイラス１がそれぞれ上下、左右に移動させられたときに、スタイラス１が押し付けられる当たり止めを形成するのに適した、四つの切れ込み１４ａ、１４ｂ、１４ｃと１４ｄを有している。
【００２６】
スタイラス１を十字架６から解放するには、固定と逆の操作を実施するだけでよい。すなわち、スタイラス１は、欠刻１３の第一の端１３ａに当接するまで、爪１ｂが欠刻１３を角度方向に移動するように反時計回りに回転駆動される。このときスタイラス１を引き出すことができる。
【００２７】
図４Ｂに示したコンピュータの変型例において、スタイラス１の固定は多方向十字架６においてではなく、ケース３に配置された固定要素６’において実行される。この場合、このとき多方向十字架６は、きわめて古典的なタイプのもの、すなわちそれには窪み１２がないタイプのものである。
【００２８】
図１Ｄと１Ｅを参照すると、より詳細には要素６’は、十字架６と同様に、ケース３の窪み８’に、わずかな遊びで完全に受納される可動部分７’を備えている。前記可動部分７’は、ケース３にいったん取り付けられると、垂直軸Ｚ’に対して回転対称になるように構成されている。前記可動部分７’はさらに、変換器９’ｃと９’ｄだけが図１Ｄにおいて見て取ることができ、四つの移動変換器９’ａ、９’ｂ、９’ｃ、９’ｄがその下に固定されている基部７’ａを備えている。
【００２９】
図１Ｄに見られるように、固定要素６’は、固定要素６’の可動部分７’の基部７’ａのすぐ下のケース３の窪み８’に受納されている固定部分１０’を備えている。前記固定部分は、移動変換器９’ａから９’ｄの方向に向けられたその面に、電子回路１１’を備えている。十字架６と同様に、可動部分７’は固定部分１０’に対して移動するのに適しており、それは、移動変換器の上に位置づけられた固定要素６’の区域の一つ、例えば、区域６’ｃを押すと、可動部分’７は反時計回りに下向きに傾けられ、このとき変換器９’ｃがこの移動を電気信号の形に変換し、すぐに電子回路１１’に伝達するようになされる。
【００３０】
図１Ｄと１Ｅを参照すると、要素６’の可動部分７’は、その中心部分に、スタイラス１の先端１ａを受納するための窪み１２’を有している。図示した例において、窪み１２’は軸Ｚの周囲を回転する円筒の形状を呈し、ほぼ円形の底部１２’ａを備えている。
【００３１】
スタイラス１の先端１ａの爪１ｂを受納するための欠刻１３’は、窪み１２’の下部を開通するように固定要素６’の可動部分７’に設けられている。図１Ｅに見られるように、前記欠刻は、面Ｐ’に含まれる水平軸Ｘ’と面Ｐ’に含まれる水平軸Ｙ’の間にあり、水平軸Ｙ’に垂直な軸Ｚ’に垂直な面Ｐ’において、およそ４５度の角度で角度方向に延長している。
【００３２】
スタイラスの固定と解放は図１Ｂと１Ｃに示した第一の実施態様と同様に実行される。
【００３３】
スタイラス１が要素６’に対していったん固定されると、ジョイスティックのように操作することができる。このため、外部に向けて開通する窪み１２’の先端は、スタイラス１がそれぞれ上下、左右に移動されられたときに、スタイラス１が押し付けられる当たり止めを形成するのに適した、四つの切れ込み１４’ａ、１４’ｂ、１４’ｃと１４’ｄを有している。
【実施例２】
【００３４】
つぎに、図２Ａ、２Ｂ、２Ｃと４Ａを参照すると、本発明によるスタイラスの第二の実施態様と、組み合わされた移動制御手段を説明する。
【００３５】
図２Ａに見られるように、参照番号１’で示したスタイラスは、先端１’ａの拡大断面図を備えており、前記断面図は図２Ａで円で囲まれている。先端１’ａは、それ自体周知の仕方で、スクリーンへのテキストの入力を、できる限り正確に実行、あるいはさらにスクリーンに表示されたメニューを対話によってナビゲートすることができるように尖らせてある。
【００３６】
かかる先端１’ａは、中空で、軸、例えば、垂直軸Ｚ’１の周囲で回転対称になるように構成されている。先端１’ａは、丸みのある形状の第一の端ｅ１と直線形の第二の端ｅ２を呈する管状の機構１’ｂがその中に導入される横断穴１５を有する壁１’ｃを備え、前記機構１’ｂは、軸Ｚ’１に垂直に延長するように穴１５に位置づけられ、第一の端は、壁１５の外部に方向付けられ、他方、第二の端ｅ２は前記壁の内部に向けられている。
【００３７】
同じく図２Ａに見られるように、機構１’ｂは、例えば壁１５の内面に当接した第一と第二の自由端１６ａと１６ｂを備える弾性舌１６を介して弾性的に働きかけられ、前記端は、舌１６の変形の影響で反対方向に滑ることができる。以下にさらに詳細に説明するように、機構１’ｂは、このように収縮自在な爪を形成するようになされる。
【００３８】
図２Ａに示した位置である静止位置において、舌１６の中間部分１６ｃが機構１’ｂの先端ｅ２に当接し、このとき機構の先端ｅ１がスタイラス１’の先端１’ａの外に突き出すように、舌１６は弾性的に変形される。
【００３９】
図２Ｂと２Ｃを参照すると、十字架６の可動部分７は、図１Ｂと図１Ｃに示されているものと類似しており、欠刻１３1、それはスタイラス１’の先端１’ａの爪１’ｂの形状にほぼ対応する形状の欠刻１３の代わりにすぎないが、前記欠刻は、窪み１２の下部を開通するように十字架６の可動部分７に同様に設けられる。図２Ｃに見られるように、欠刻１３1は、ケース３の平面Ｐ1に含まれ、可動部分７の窪み１２がこれにそって延長している軸Ｚ２に垂直な軸Ｙ２にそって延長している。
【００４０】
十字架６に対するスタイラス１’の固定は、スタイラス１’の先端１’ａを窪み１２に押し込むことによって実行され、先端１’ａは爪１’ｂが欠刻１３1に直角に位置づけられるように、窪み１２に向けられる。この押し込みの際に、爪１’ｂは、スタイラス１’の先端１’ａの内部で窪み１２の壁によって押し戻され、その効果として舌１６が平らになる。爪１’ｂの先端ｅ１が欠刻１３1の前に来ると、舌１６はその静止位置に戻り、このとき爪１’ｂは、舌１６の弾性変形の影響で欠刻１３1の内部に押し戻される。このようにしてスタイラス１’は、十字架６の可動部分７に対して固定されている。結果として、ジョイスティックのように操作されることができる。このために、図１Ｂと１Ｃに示した例と同様に、外部に向けて開通している窪み１２の端は、四つの切れ込み１４ａ、１４ｂ、１４ｃと１４ｄを有している。
【００４１】
スタイラス１’を十字架６から解放するには、スタイラスを上に向かって強く引くだけでよく、それにより欠刻１３1から爪１’ｂを取り出すことができる。よってスタイラス１’を引き出すことが可能となる。
【００４２】
代替案として、押しボタンは爪１’ｂの先端ｅ１に弾性的に接続されることが可能であり、欠刻１３1において爪１’ｂを入れることで押しボタンが高い位置に移行し、このとき押しボタンを押すだけで欠刻１３1からの爪１’ｂの取り出しが実行されるような仕方でなされる。このようなボタンは例えば、ケース３、あるいはさらに先端が収縮するボールペンのノックボタンのように、スタイラス１’に配置できるであろう。
【００４３】
図４Ｂに示されたコンピュータの変型例によれば、スタイラス１’の固定は、多方向十字架６ではなく、固定要素６’において実行される。
【００４４】
図２Ｄと２Ｅを参照にすると、より詳細には、要素６’が図１Ｄと１Ｅに示したものと異なるのは、欠刻１３’の代わりに、十字架６の可動部分の欠刻１３1とあらゆる点で同一の欠刻１３’1を有していることである。図２Ｃに見られるように、欠刻１３’1は、ケース３の平面Ｐ’1に含まれ、そしてそれにそって窪み１２’が延長している軸Ｚ’２に垂直な軸Ｙ’２にそって延長している。
【００４５】
スタイラス１’の固定と解放は、図２Ｂと２Ｃに示した第二の実施態様と同様に実行される。
【実施例３】
【００４６】
つぎに、図３Ａ、３Ｂ、３Ｃと４Ａを参照に、本発明によるスタイラスの第三の実施態様と、組み合わされた移動制御手段を説明する。
【００４７】
図３Ａに見られるように、参照番号１”で示したスタイラスは、先端１”ａの拡大断面図を備えており、前記断面図は図３Ａで円で囲まれている。先端１”ａは、それ自体周知の仕方で、スクリーンへのテキストの入力を、できる限り正確に実行できるように、あるいはさらにスクリーンに表示されたメニューを対話によってナビゲートすることができるように尖らせてある。図示した例において、先端１”ａは中実であり、また、ほぼ丸い形状の欠刻１”ｂを有している。
【００４８】
図３Ｂと３Ｃを参照すると、十字架６の可動部分７は、その中心部分に、スタイラス１”の先端１”ａを受納するための窪み１２を有している。図示した例において、窪み１２は軸Ｚ３の周囲を回転する円筒の形状を呈し、ほぼ丸い形の底部１２ａを備えている。
【００４９】
窪み１２の下部を開通するように、可動部分７の下部に開口部１７が設けられ、前記開口部は、スタイラス１”の先端１”ａがいったん窪み１２に押し込まれたら、スタイラス１”の欠刻１”ｂに対応するためのものである。
【００５０】
開口部１７は、ケース３に設けられた窪み１８を開通している。
【００５１】
開口部１７と窪み１８は、窪み１２におけるスタイラス１”の係止／解除機構１９のための受納部を共に形成する。
【００５２】
より詳細には、機構１９は、窪み１８の部分１８ａと開口部１７において、ケース３の平面Ｐ３に含まれ、軸Ｚ３に垂直な軸Ｘ３にそって延長する伸長した形状の、本体１９ａを備えている。本体１９ａには、図示した例において、伸長した形状を呈する突起１９ｂがそびえ、前記突起は、ケース３からはみ出すように、窪み１８の部分１８ｂにおいて、軸Ｚ２にそって延長している。突起１９ｂは、このようにして使用者によって操作されるのに適した触知機構を形成する。
【００５３】
本体１９ａは、窪み１２の方向に向けられた丸みのある形状の第一の先端ｅ’１と、直線的な形状の反対の第二の先端ｅ’２を備えている。先端ｅ’２は、例えば、渦巻バネ２０を用いて弾性的に働きかけられ、該バネは、窪み１８の壁１８ｃに固定された端２０ａと、本体１９ａの先端ｅ’２に固定された端２０ｂを呈し、前記バネは、窪み１８の部分１８ａにおいて、軸Ｘ３にそって延長するものである。本体１９ａの先端ｅ’１は、図３Ｂと３Ｃに示した位置の静止位置において、窪み１２に嵌合する。
【００５４】
十字架６に対するスタイラス１”の固定は、スタイラス１”の先端１”ａを窪み１２に押し込むことによって実行され、先端１”ａは、欠刻１”ｂが、窪み１２の開口部１７の口に直角に位置づけられるように、窪み１２に向けられる。先端１”ａは、窪み１２の底部１２ａに当接するように押し込まれ、この場合前記欠刻１”ｂは、その瞬間に前記口と確実に対応する。
【００５５】
使用者はこのとき、触知機構１９ｂを図３Ｂに示した矢印Ｆの方向に押し、その効果として機構１９は移動し、欠刻１”ｂに受納されるために本体１９ａの先端ｅ’１が、窪み１２に進入する。このようにしてスタイラス１”は、十字架６の可動部分７に対して固定されている。結果として、それはジョイスティックのように操作されることができる。このために、図１Ｂ、１Ｃと２Ｂ、２Ｃに図示した例と同様に、外部に向けて開通している窪み１２の先端は、四つの切れ込み１４ａ、１４ｂ、１４ｃと１４ｄを有している。
【００５６】
スタイラス１”を十字架６から解放するには、触知機構１９ｂを矢印Ｆと反対方向に押し戻すだけでよく、それによってバネ２０が圧縮される。このとき本体１９ａの先端ｅ’１は、窪み１２”から解放され、したがって、使用者は触知機構１９ｂを維持しながらも、スタイラス１を引き出すことができる。スタイラス１”がいったん完全に引き出されると、使用者は触知機構１９ｂを放し、機構は図３Ｂと３Ｃに示したような静止位置に復帰する。
【００５７】
図４Ｂに示したコンピュータの変型例において、スタイラス１”の固定は多方向十字架６においてではなく、固定要素６’において実行される。
【００５８】
図３Ｄと３Ｅを参照すると、より詳細には、要素６’が図１Ｄ、１Ｅと２Ｄ、２Ｅに示したものと異なるのは、欠刻の代わりに、窪み１２’の下部を開通するように可動部分７’の下部に開口部１７’が設けられている点であり、前記開口部は、スタイラス１”の先端１”ａがいったん窪み１２’に押し込まれたら、スタイラス１”の欠刻１”ｂに対応するためのものである。
【００５９】
開口部１７’はケース３に設けられた窪み１８’を開通している。
【００６０】
開口部１７’と窪み１８’は、窪み１２’におけるスタイラス１”の係止／解除機構１９’のための受納部を共に形成する。
【００６１】
開口部１７’は、窪み１２’と１８’および機構１９’と同様に、開口部１７、窪み１２、１８および機構１９とそれぞれあらゆる点において同一であるため、ここでそれらを再度説明する必要はない。
【００６２】
結果として、図３Ｄと３Ｅによる変型例におけるスタイラス１”の固定と解放は、図３Ｂと３Ｃに示した第三の実施態様と同様に実行される。
【図面の簡単な説明】
【００６３】
【図１Ａ】第一の実施態様によるスタイラスの正面図である。
【図１Ｂ】図１Ａのスタイラスと協働するための図４の制御手段の断面図である。
【図１Ｃ】図１Ｂの制御手段の平面図である。
【図１Ｄ】図４ＢのＩＶ’−ＩＶ’線にそって取った、第一の実施態様による制御手段の変型例の断面図である。
【図１Ｅ】図１Ｄの制御手段の変型例の平面図である。
【図２Ａ】第二の実施態様によるスタイラスの正面図である。
【図２Ｂ】図２Ａのスタイラスと協働するための図４の制御手段の断面図である。
【図２Ｃ】図２Ｂの操作手段の平面図である。
【図２Ｄ】図４ＢのＩＶ’−ＩＶ’線にそって取った、第二の実施態様による制御手段の変型例の断面図である。
【図２Ｅ】図２Ｄの制御手段の変型例の平面図である。
【図３Ａ】第三の実施態様によるスタイラスの正面図である。
【図３Ｂ】図３Ａのスタイラスと協働するための図４の制御手段の断面図である。
【図３Ｃ】図３Ｂの制御手段の平面図である。
【図３Ｄ】図４ＢのＩＶ’−ＩＶ’線にそって取った、第三の実施態様による制御手段の変型例の断面図である。
【図３Ｅ】図３Ｄの制御手段の変型例の平面図である。
【図４Ａ】図１Ａ、２Ａと３Ａに示したようなスタイラスをその上で移動するためのスクリーンを備えたコンピュータの正面図である。
【図４Ｂ】・図４Ｂは図４Ａに示したコンピュータの変型例である。
【符号の説明】
【００６４】
１、１’、１”     スタイラス
１ａ、１’ａ、１”ａ    先端
１ｂ、１’ｂ    爪
１’ｂ    管状の機構
１”ｂ    欠刻
１’ｃ    壁
２    コンピュータ
３    ケース
４    スクリーン
５ａ、５ｂ、５ｃ    キー
６    多方向十字架
６ａ、６ｂ、６ｃ、６ｄ    枝
６’    固定要素
７、７’    可動部分
７ａ、７’ａ    基部
８、８’        窪み
９ａ〜ｄ、９’ａ〜ｄ    移動変換器
１０、１０’    固定部分
１１、１１’    電子回路
１２、１２’    窪み
１２ａ、１２’ａ    底部
１３、１３’、１３1、１３’1    欠刻
１３ａ    第一の端
１３ｂ    第二の端
１４ａ〜ｄ、１４’ａ〜ｄ    切れ込み
１５    横断穴
１６    弾性舌
１６ａ、１６ｂ    自由端
１６ｃ    中間部分
１７、１７’    開口部
１８、１８’    窪み
１９、１９’    係止／解除機構
１９ａ    本体
１９ｂ    突起
２０    渦巻バネ
２０ａ、２０ｂ    端
【図１Ａ】
2005509956.tif 000003
【図１Ｂ】
2005509956.tif 000004
【図１Ｃ】
2005509956.tif 000005
【図１Ｄ】
2005509956.tif 000006
【図１Ｅ】
2005509956.tif 000007
【図２Ａ】
2005509956.tif 000008
【図２Ｂ】
2005509956.tif 000009
【図２Ｃ】
2005509956.tif 000010
【図２Ｄ】
2005509956.tif 000011
【図２Ｅ】
2005509956.tif 000012
【図３Ａ】
2005509956.tif 000013
【図３Ｂ】
2005509956.tif 000014
【図３Ｃ】
2005509956.tif 000015
【図３Ｄ】
2005509956.tif 000016
【図３Ｅ】
2005509956.tif 000017
【図４Ａ】
2005509956.tif 000018
【図４Ｂ】
2005509956.tif 000019
【国際調査報告】
2005509956.tif 000020
2005509956.tif 000021
2005509956.tif 000022
2005509956.tif 000023